(57)【要約】      （修正有）【課題】新規なごみ箱を提供する。【解決手段】ごみ箱１０はシート材で形成され、底面部１２と口を有する筒状の側面部１４とを有する。側面部は、その口１６の縁２０から底面部に向けて伸びる４条のミシン目１８と、これらのミシン目を境界として口縁２０に沿って互い違いに位置しまたこれらのミシン目に沿って互いに分離可能である一対の第１の部分２２及び一対の第２の部分２４とを有する。一対の第１の部分２２は分離後においてこれらが互いに結び合わされる大きさを有し、また、一対の第２の部分２４は分離後においてこれらが互いに部分的に重ね合わされ側面部の口を閉じる大きさを有する。【選択図】図１
0003189213.tif 000002
【実用新案登録請求の範囲】
【請求項１】
シート材で形成された、底面部と、口を有する筒状の側面部とを備えるごみ箱であって、
前記側面部は、該側面部の口の縁から前記底面部に向けて伸びる４条のミシン目と、前記４つのミシン目を境界として前記口の縁に沿って互い違いに位置しまた前記４つのミシン目に沿って互いに分離可能である一対の第１の部分及び一対の第２の部分とを有し、
前記一対の第１の部分は分離後においてこれらが互いに結び合わされる大きさを有し、また、前記一対の第２の部分は分離後においてこれらが互いに部分的に重ね合わされ前記側面部の口を閉じる大きさを有する、ごみ箱。
【請求項２】
前記側面部の口の縁から前記底面部までの長さと、前記側面部の口の縁からの前記第１の部分の伸長方向長さとの比が（２．２〜４）：１の範囲にあり、かつ、前記側面部の幅と、前記第１の部分の幅との比が（５．８〜１３）：１の範囲にある、請求項１に記載のごみ箱。
【考案の詳細な説明】
【技術分野】
【０００１】
本考案は、シート材で形成されたごみ箱に関する。
【背景技術】
【０００２】
従来、ごみ袋が提案されている。提案に係るごみ袋には、該ゴミ袋の口縁からその底部に向けて伸びる４条のミシン目が設けられている。４条のミシン目は、これらのミシン目を境界とする一対の第１の部分と一対の第２の部分とを規定する。これらの第１及び第２の部分は、４つのミシン目に沿って互いに分離可能である。
【０００３】
このゴミ袋にあっては、ごみの収納後、一対の第１の部分と一対の第２の部分とをそれぞれ前記４つのミシン目に沿って分離し、分離された一対の第１の部分と一対の第２の部分とをそれぞれ互いに結び合わせることにより、口を塞ぐこととしている。
【先行技術文献】
【特許文献】
【０００４】
【特許文献１】実開平２−７２０３号公報
【考案の概要】
【考案が解決しようとする課題】
【０００５】
本考案の目的は、このようなごみ袋の提案を背景とした、新たなごみ箱の提供にある。
【課題を解決するための手段】
【０００６】
本考案に係るごみ箱はシート材で形成され、底面部と、口を有する筒状の側面部とを備える。ごみ箱の前記側面部は、該側面部の口の縁から前記底面部に向けて伸びる４条のミシン目と、前記４つのミシン目を境界として前記口の縁に沿って互い違いに位置しまた前記４つのミシン目に沿って互いに分離可能である一対の第１の部分及び一対の第２の部分とを有する。一対の第１の部分は分離後においてこれらが互いに結び合わされる大きさを有し、また、一対の第２の部分は分離後においてこれらが互いに部分的に重ね合わされ前記側面部の口を閉じる大きさを有する。
【０００７】
第１の部分の大きさ及び第２の部分の大きさは、前記側面部の口の縁から前記底面部までの長さと前記側面部の口の縁からの前記第１の部分の伸長方向長さとの比が（２．２〜４）：１の範囲にあり、また、前記側面部の幅と、前記第１の部分の幅との比が（５．８〜１３）：１の範囲にあるように設定することにより定めることができる。
【０００８】
本考案にあっては、ごみ箱は、その底面部を床面上に置いて使用することができる。ごみは、側面部が規定する空間にその口を通して投入することができる。
【０００９】
本考案によれば、前記ごみ箱がごみで満たされたとき、４条のミシン目に沿って前記側面部の一部を切り裂き、前記第１の部分及び前記第２の部分を互いに分離する。次いで、分離された一対の第２部分を互いに他の一方に向けて折り曲げて部分的に重ね合わせる。これにより、ごみ箱の口が閉じられる。次に、部分的に重ね合わされた状態にある前記一対の第２の部分上においてこれらを横切るように伸びる前記一対の第１の部分を互いに結び合わせる。これにより、前記ごみ箱はその口が閉じた状態にされ、また、この状態で廃棄することができる。
【図面の簡単な説明】
【００１０】
【図１】本考案の一例に係るごみ箱の一例を示す斜視図である。
【図２】一対の第１の部分と一対の第２の部分とを４条のミシン目に沿って分離した状態におけるごみ箱の一部の斜視図である。
【図３】分離された一方の第２の部分を他方の第２の部分に向けて折り曲げた状態におけるごみ箱の斜視図である。
【図４】他方の第２の部分を一方の第２の部分に折り曲げかつ部分的に重ね合わせた状態におけるごみ箱の斜視図である。
【図５】分離された一対の第１の部分を、互いに部分的に重ね合わされた一対の第２の部分上において、互いに結び合わせた状態におけるごみ箱の斜視図である。
【図６】本考案の他の例に係るごみ箱の斜視図である。
【図７】本考案のさらに他の例に係るごみ箱の斜視図である。
【考案を実施するための形態】
【００１１】
図１を参照すると、本考案の一例に係るごみ箱が全体に符号１０で示されている。
【００１２】
ごみ箱１０はプラスチック製、紙製（好ましくは耐油耐水紙のような耐水性を有するもの）、不織布製、布製等のシート材で形成され、底面部１２と、該底面部に連なる筒状の側面部１４とを備える。側面部１４は口１６を有する。
【００１３】
ごみ箱１０の底面部１２及び側面部１４は、それぞれ、任意の平面形状を有するもの及び任意の横断面形状を有するものとすることができる。
【００１４】
図１に示すごみ箱１０は船底型の袋と同様の外観を呈し、底面部１２が矩形の平面形状を有し、また、側面部１４が２つの円弧からなる横断面形状を有する。ごみ箱１０の他の形状の一例として、図６に角底袋と同様の外観を呈するものを示す。この例に係るごみ箱１０にあっては、底面部１２及び側面部１４がそれぞれ矩形の平面形状及び矩形の横断面形状を有する。また、図７に、さらに他の一例に係るごみ箱１０の形状を示す。この例に係るごみ箱１０は円形底袋と同様の外観を呈し、その底面部１２及び側面部１４がそれぞれ円形の平面形状及び円形の横断面形状を有する。
【００１５】
ごみ箱１０は、床面のような設置面上に底面部１２を接して設置される。このとき、側面部１４は底面部１２の上方にごみの収容空間を規定し、また、その口１６は、側面部１４が規定する前記ごみ収容空間へのごみの投入口、すなわちごみ箱１０の口をなす。使用に際して、底面部１２の平面形状を維持し、また、座りを良くするため、側面部１４内において底面部１２上にこれと同形の板紙（図示せず）を敷くことが望ましい。ごみ箱１０は、これを偏平な形態への折り畳みを可能とするために、底面部１２及び側面部１４にそれぞれ複数の折り線１５を形成することができる。
【００１６】
ごみ箱１０の側面部１４は４条のミシン目１８を有する。４条のミシン目１８は、それぞれ、側面部１４の口１６の縁（以下「口縁」という。）２０から底面部１２に向けて伸びている。図示の例では、口縁２０は仮想の平面内にある。また、４条のミシン目１８は互いに平行であり、前記仮想平面に直交している。なお、口縁２０は前記仮想平面内にない、例えば波形の曲線を描くものとすることができる。
【００１７】
側面部１４は、４条のミシン目１８を境界とする一対の第１の部分２２と一対の第２の部分２４とを有する。第１の部分２２及び第２の部分２４は口縁２０に沿って互い違いに位置し、したがって互いに隣接している。第１の部分２２と第２の部分２４とは、各ミシン目１８に沿って側面部１４をその口縁２０から切り裂くことにより、互いに分離される（図２参照）。
【００１８】
分離された一対の第１の部分２２はこれら相互の結び合わせに供され（図５参照）、また、分離された一対の第２の部分２４はこれらが互いに部分的に重ね合わされ、これにより側面部１４の口１６を閉じることに供される（図３及び図４参照）。一対の第１の部分２２及び一対の第２の部分２４は、このために必要な大きさを有し、外観上、口縁２０の伸長方向に関して小さい幅及び大きい幅をそれぞれ有する。
【００１９】
第１の部分２２及び第２の部分２４の前記大きさは、側面部１４の口縁２０から底面部１２までの長さｈ１と、側面部１４の口縁２０からの第１の部分２２の伸長方向長さｈ２との比ｈ１：ｈ２が（２．２〜４）：１の範囲にあり、かつ、側面部１４の幅ｗ１と、第１の部分２２の幅ｗ２との比ｗ１：ｗ２が（５．８〜１３）：１の範囲にあるように設定することにより定めることができる。
【００２０】
ここで、ごみ箱１０の実用的な寸法を例示すると、次のとおりである。すなわち、長さ（円形底の場合は直径）ｈ１＝１７５ｍｍ〜８００ｍｍ、長さｈ２＝８０ｍｍ〜２００ｍｍ、幅ｗ１＝１７５ｍｍ〜６５０ｍｍ、幅ｗ２＝３０ｍｍ〜５０ｍｍ、及び奥行きｄ＝５０ｍｍ〜２５０ｍｍである。
【００２１】
次に、図２〜図５を参照して、ごみが収納された後におけるごみ箱１０の取り扱いについて説明する。
【００２２】
まず、４条のミシン目１８に沿って側面部１４の一部を切り裂くことにより、図２に示すように、第１の部分２２と第２の部分２４とを相互に分離する。
【００２３】
分離後、一方の第２の部分２４を、一対の第１の部分２２間において、他方の第２の部分２４に向けて折り曲げる（図３）。次いで、同様にして他方の第２の部分２４を一方の第２の部分２４に向けて折り曲げる（図４）。一対の第２の部分２４はそれぞれの折り曲げによりフード（頭巾）状に変形し、ミシン目１８に沿っての前記切り裂きによって生じた第２の部分２４の両側縁２６が一対の第１の部分２２の基端部２８に近接する。折り曲げられた一対の第２の部分２４はこれらの先端部において互いに重なり合う。その結果、ごみ箱１０の口が閉じられる（図４）。その後、一対の第２の部分２４の重合した両先端部上において、一対の第１の部分２２を互いに結び合わせる。これにより、一対の第２の部分２４の重合した両先端部が圧迫され、重合状態が維持される。したがって、本考案によれば、ごみを収容したごみ箱１０を、第１及び第２の両部分２２、２４によりその口を閉じた状態とし、また、この状態で廃棄することができる。
【符号の説明】
【００２４】
１０  ごみ箱
１２  底面部
１４  側面部
１６  口
１８  ミシン目
２０  口縁
２２、２４  第１の部分及び第２の部分
【図１】
0003189213.tif 000003
【図２】
0003189213.tif 000004
【図３】
0003189213.tif 000005
【図４】
0003189213.tif 000006
【図５】
0003189213.tif 000007
【図６】
0003189213.tif 000008
【図７】
0003189213.tif 000009